(57)【要約】【課題】バッテリへの搭載性を向上することができるヒューズユニットを提供する。【解決手段】屈曲部３が設けられたバスバ５と、屈曲部３を露出させバスバ５の一側と他側とに分割して形成される一対の分割ボディ７，９とを備え、屈曲部３で屈曲されて一対の分割ボディ７，９がＬ字状に配置されるヒューズユニット１において、一対の分割ボディ７，９に、屈曲部３の近傍にそれぞれ設けられ屈曲部３が屈曲される前の状態で対向面１１，１３が離間して配置され、屈曲部３が非正規状態で屈曲されたときに対向面１１，１３が互いに当接して屈曲部３の屈曲を防止する屈曲規制部１５を設けた。【選択図】図５
2014103077.tif 000002
【特許請求の範囲】
【請求項１】
屈曲部が設けられたバスバと、前記屈曲部を露出させ前記バスバの一側と他側とに分割して形成される一対の分割ボディとを備え、前記屈曲部で屈曲されて前記一対の分割ボディがＬ字状に配置されるヒューズユニットであって、
前記一対の分割ボディには、前記屈曲部の近傍にそれぞれ設けられ前記屈曲部が屈曲される前の状態で対向面が離間して配置され、前記屈曲部が非正規状態で屈曲されたときに前記対向面が互いに当接して前記屈曲部の屈曲を防止する屈曲規制部が設けられていることを特徴とするヒューズユニット。
【請求項２】
請求項１記載のヒューズユニットであって、
前記屈曲規制部は、前記屈曲部の背面側に前記屈曲部と当接して設けられた複数の凹凸部からなり、前記複数の凹凸部は、前記屈曲部が正規状態で屈曲されたときに凸部が凹部に挿入されることを特徴とするヒューズユニット。
【請求項３】
請求項２記載のヒューズユニットであって、
前記凸部の対向面間は、前記屈曲部が屈曲される前の状態で前記屈曲部が正規状態で屈曲される屈曲位置に配置されていることを特徴とするヒューズユニット。
【発明の詳細な説明】
【技術分野】
【０００１】
本発明は、ヒューズユニットに関する。
【背景技術】
【０００２】
従来、ヒューズユニットとしては、屈曲部としての可撓部が設けられたバスバとしてのヒューズエレメントと、可撓部を露出させヒューズエレメントの一側と他側とに分割して形成される一対の分割ボディとしての一方の分割ボディと他方の分割ボディとを備えたものが知られている（例えば、特許文献１参照）。
【０００３】
このヒューズユニットでは、ヒューズエレメントの可撓部が屈曲され、一方の分割ボディと他方の分割ボディとがＬ字状に配置される。このようにヒューズユニットをＬ字状にすることにより、ヒューズユニットの全長の大型化を抑制し、ヒューズ回路の多様化に対応することができる。
【先行技術文献】
【特許文献】
【０００４】
【特許文献１】特開２００２−３２９４５７号公報
【発明の概要】
【発明が解決しようとする課題】
【０００５】
しかしながら、上記特許文献１のようなヒューズユニットでは、バスバの屈曲部における屈曲位置が規定されていないので、一対の分割ボディから露出する屈曲部の範囲において、どの位置であっても屈曲位置となってしまい、屈曲部を正規位置で屈曲させることが困難であった。
【０００６】
このため、屈曲部が非正規状態で屈曲されたヒューズユニット、すなわちＬ字状形態が異なるヒューズユニットをバッテリに搭載することになり、バッテリの周辺部材との干渉やバッテリに対する搭載位置が異なるなど、ヒューズユニットのバッテリへの搭載性が低下する恐れがあった。
【０００７】
そこで、この発明は、バッテリへの搭載性を向上することができるヒューズユニットの提供を目的としている。
【課題を解決するための手段】
【０００８】
請求項１記載の発明は、屈曲部が設けられたバスバと、前記屈曲部を露出させ前記バスバの一側と他側とに分割して形成される一対の分割ボディとを備え、前記屈曲部で屈曲されて前記一対の分割ボディがＬ字状に配置されるヒューズユニットであって、前記一対の分割ボディには、前記屈曲部の近傍にそれぞれ設けられ前記屈曲部が屈曲される前の状態で対向面が離間して配置され、前記屈曲部が非正規状態で屈曲されたときに前記対向面が互いに当接して前記屈曲部の屈曲を防止する屈曲規制部が設けられていることを特徴とする。
【０００９】
このヒューズユニットでは、屈曲部が非正規状態で屈曲されたときに対向面が互いに当接して屈曲部の屈曲を防止する屈曲規制部が一対の分割ボディにそれぞれ設けられているので、屈曲部が非正規位置で屈曲されることがなく、一対の分割ボディが異なるＬ字状形態をなすことがない。
【００１０】
従って、このようなヒューズユニットでは、屈曲規制部によって屈曲部を正規位置のみで屈曲させることができ、バッテリへの搭載性を向上することができる。
【００１１】
請求項２記載の発明は、請求項１記載のヒューズユニットであって、前記屈曲規制部は、前記屈曲部の背面側に前記屈曲部と当接して設けられた複数の凹凸部からなり、前記複数の凹凸部は、前記屈曲部が正規状態で屈曲されたときに凸部が凹部に挿入されることを特徴とする。
【００１２】
このヒューズユニットでは、屈曲規制部が複数の凹凸部からなり、複数の凹凸部が屈曲部が正規状態で屈曲されたときに凸部が凹部に挿入されるので、屈曲部が正規状態で屈曲されたとき、屈曲を案内することができ、屈曲部の屈曲を安定化させることができる。
【００１３】
請求項３記載の発明は、請求項２記載のヒューズユニットであって、前記凸部の対向面間は、前記屈曲部が屈曲される前の状態で前記屈曲部が正規状態で屈曲される屈曲位置に配置されていることを特徴とする。
【００１４】
このヒューズユニットでは、凸部の対向面間が屈曲部が屈曲される前の状態で屈曲部が正規状態で屈曲される屈曲位置に配置されているので、屈曲部における屈曲位置を正規位置に規定することができ、屈曲部の屈曲位置が異なることを防止することができる。
【発明の効果】
【００１５】
本発明によれば、バッテリへの搭載性を向上することができるヒューズユニットを提供することができるという効果を奏する。
【図面の簡単な説明】
【００１６】
【図１】本発明の実施の形態に係るヒューズユニットの斜視図である。
【図２】本発明の実施の形態に係るヒューズユニットの屈曲部を屈曲させる前の状態の下面図である。
【図３】本発明の実施の形態に係るヒューズユニットの一方の分割ボディの斜視図である。
【図４】本発明の実施の形態に係るヒューズユニットの他方の分割ボディの斜視図である。
【図５】本発明の実施の形態に係るヒューズユニットの要部拡大図である。
【発明を実施するための形態】
【００１７】
図１〜図５を用いて本発明の実施の形態に係るヒューズユニットについて説明する。
【００１８】
本実施の形態に係るヒューズユニット１は、屈曲部３が設けられたバスバ５と、屈曲部３を露出させバスバ５の一側と他側とに分割して形成される一対の分割ボディ７，９とを備え、屈曲部３で屈曲されて一対の分割ボディ７，９がＬ字状に配置される。
【００１９】
そして、一対の分割ボディ７，９には、屈曲部３の近傍にそれぞれ設けられ屈曲部３が屈曲される前の状態で対向面１１，１３が離間して配置され、屈曲部３が非正規状態で屈曲されたときに対向面１１，１３が互いに当接して屈曲部３の屈曲を防止する屈曲規制部１５が設けられている。
【００２０】
また、屈曲規制部１５は、屈曲部３の背面側に屈曲部３と当接して設けられた複数の凹凸部１７，１９からなり、複数の凹凸部１７，１９は、屈曲部３が正規状態で屈曲されたときに凸部１９が凹部１７に挿入される。
【００２１】
さらに、凸部１９，１９の対向面１１，１３間は、屈曲部３が屈曲される前の状態で屈曲部３が正規状態で屈曲される屈曲位置Ａに配置されている。
【００２２】
図１〜図５に示すように、バスバ５は、導電性材料からなり、薄板状に形成されている。また、バスバ５には、過電流によって溶断するヒューズ２１が一体に形成されている。
【００２３】
このバスバ５は、バッテリ（不図示）の上面側に位置される部分にバッテリ端子（不図示）、オルタネータ端子（不図示）、スタータモータ端子（不図示）などが接続される複数の上面接続部２３が設けられ、バッテリの側面側に位置される部分に電装品などの負荷に接続された端子が接続される複数の側面接続部２５が設けられている。
【００２４】
このようなバスバ５は、バッテリと負荷との間に配置され、バッテリと負荷との間をヒューズ２１を介して接続するヒューズ回路を構成するヒューズエレメントとなっている。このバスバ５には、屈曲部３が設けられている。
【００２５】
屈曲部３は、離間して並列に２つ配置され、それぞれ異なるヒューズ回路を構成している。この屈曲部３を折り曲げ加工することにより、ヒューズユニット１がＬ字状に形成される。このようにヒューズユニット１をＬ字状に形成することにより、ヒューズユニット１の全長の大型化が抑制され、バッテリの周辺部材との干渉を防止することができると共に、ヒューズ回路の多様化に対応することができる。
【００２６】
このような屈曲部３が設けられたバスバ５は、屈曲部３を境界として、バッテリの上面側に位置される一側と、バッテリの側面側に位置される他側とに、屈曲部３を屈曲させる前の状態で、一対の分割ボディ７，９がインサート成形される。
【００２７】
一対の分割ボディ７，９は、合成樹脂材料からなり、それぞれ内部にバスバ５を内蔵するように、金型などによってバスバ５と一体成形される。この一対の分割ボディ７，９をバスバ５と一体成形させると、バスバ５の屈曲部３を屈曲可能とさせるため、バスバ５の屈曲部３が露出した状態となる。
【００２８】
このように一対の分割ボディ７，９から露出した屈曲部３は、露出した部分の全範囲で屈曲可能であるので、屈曲部３が非正規状態で屈曲された場合、一対の分割ボディ７，９が正規のＬ字状形態をなさず、バッテリの所定の配置位置に配置できない恐れがあった。そこで、一対の分割ボディ７，９の屈曲部３近傍には、屈曲規制部１５がそれぞれ設けられている。
【００２９】
屈曲規制部１５は、一対の分割ボディ７，９にそれぞれ設けられた複数の凹凸部１７，１９からなる。この複数の凹凸部１７，１９は、屈曲部３の背面側に位置され、屈曲部３の背面と当接して設けられている。
【００３０】
このような複数の凹凸部１７，１９のうち凸部１９，１９は、屈曲部３が屈曲される前の状態で、対向面１１，１３が離間して配置されている。この凸部１９，１９の対向面１１，１３間は、屈曲部３が屈曲される前の状態で、屈曲部３が正規状態で屈曲される範囲となる屈曲位置Ａに配置されている。
【００３１】
この屈曲規制部１５は、複数の凹凸部１７，１９が屈曲部３に当接され、凸部１９，１９の対向面１１，１３間が屈曲位置Ａに位置されているので、屈曲部３を屈曲させるとき、正規位置である屈曲位置Ａの範囲のみで屈曲部３を屈曲させる。このとき、一対の分割ボディ７，９のそれぞれの凸部１９，１９は、一対の分割ボディ７，９のそれぞれの凹部１７，１７に挿入され、屈曲部３の屈曲を案内し、屈曲を阻害することがない。
【００３２】
一方、屈曲規制部１５は、屈曲位置Ａで斜めに屈曲される、或いは屈曲位置Ａ以外で屈曲されるなど、屈曲部３が非正規状態で屈曲されたとき、一対の分割ボディ７，９のそれぞれの凸部１９，１９の対向面１１，１３が当接し、屈曲部３の屈曲を防止する。
【００３３】
このように屈曲規制部１５は、屈曲部３の屈曲位置Ａで屈曲させ、屈曲部３を正規状態で屈曲させる。一方、屈曲規制部１５は、屈曲部３が非正規状態で屈曲されたとき、一対の分割ボディ７，９のそれぞれの凸部１９，１９が互いに干渉し、屈曲部３の屈曲を防止する。このような屈曲規制部１５により、安定して一対の分割ボディ７，９を正規のＬ字状形態とすることができる。
【００３４】
このようなヒューズユニット１では、屈曲部３が非正規状態で屈曲されたときに対向面１１，１３が互いに当接して屈曲部３の屈曲を防止する屈曲規制部１５が一対の分割ボディ７，９にそれぞれ設けられているので、屈曲部３が非正規位置で屈曲されることがなく、一対の分割ボディ７，９が異なるＬ字状形態をなすことがない。
【００３５】
従って、このようなヒューズユニット１では、屈曲規制部１５によって屈曲部３を正規位置のみで屈曲させることができ、バッテリへの搭載性を向上することができる。
【００３６】
また、屈曲規制部１５は複数の凹凸部１７，１９からなり、複数の凹凸部１７，１９は屈曲部３が正規状態で屈曲されたときに凸部１９が凹部１７に挿入されるので、屈曲部３が正規状態で屈曲されたとき、屈曲を案内することができ、屈曲部３の屈曲を安定化させることができる。
【００３７】
さらに、凸部１９，１９の対向面１１，１３間は、屈曲部３が屈曲される前の状態で屈曲部３が正規状態で屈曲される屈曲位置Ａに配置されているので、屈曲部３における屈曲位置を正規位置に規定することができ、屈曲部３の屈曲位置が異なることを防止することができる。
【００３８】
なお、本発明の実施の形態に係るヒューズユニットでは、屈曲規制部が複数の凹凸部となっているが、これに限らず、屈曲部が非正規状態で屈曲されたときに互いに干渉する複数、或いは単体の凸部のみであってもよい。
【符号の説明】
【００３９】
１…ヒューズユニット
３…屈曲部
５…バスバ
７，９…一対の分割ボディ
１１，１３…対向面
１５…屈曲規制部
１７，１９…凹凸部
Ａ…屈曲位置
【図１】
2014103077.tif 000003
【図２】
2014103077.tif 000004
【図３】
2014103077.tif 000005
【図４】
2014103077.tif 000006
【図５】
2014103077.tif 000007